(57)【特許請求の範囲】
【請求項１】
宅内に配設された電気機器にプラグ端子を介して接続され、前記電気機器への電源を供給する電源供給装置と、
前記電源供給装置とＤＥＣＴの通信方式を用いて無線接続し、固定電話網に接続されて他固定電話機と接続し、かつ前記ＤＥＣＴの通信方式を用いてコードレス子機と接続する親機と、を備え、
前記電源供給装置は、前記電源供給装置の動作時間情報を保持し、前記動作時間情報を基に、前記電源供給装置の動作を切り替え、
前記親機は、前記親機と無線ルータを介して接続するとともに携帯電話網を介して他携帯電話機と接続する携帯電話端末が前記無線ルータの無線通信圏内に移動した場合に前記電源供給装置を動作させるための第１切替信号を、前記ＤＥＣＴの通信方式を用いて前記電源供給装置に送信し、
前記電源供給装置は、前記動作時間情報より前記親機から送信された前記第１切替信号を優先して前記電気機器への電源を供給する、
宅内監視システム。
【請求項２】
請求項１に記載の宅内監視システムであって、
前記親機は、前記携帯電話端末が前記無線ルータの無線通信圏外に移動した場合に前記電源供給装置の動作を停止させるための第２切替信号を、前記ＤＥＣＴの通信方式を用いて前記電源供給装置に送信し、
前記電源供給装置は、前記動作時間情報より前記親機から送信された前記第２切替信号を優先して前記電気機器への電源の供給を停止する、
宅内監視システム。
【請求項３】
請求項１に記載の宅内監視システムであって、
前記動作時間情報は、前記携帯電話端末の操作により、任意に変更可能である、
宅内監視システム。
【請求項４】
宅内に配設された電気機器にプラグ端子を介して接続され、前記電気機器への電源を供給する電源供給装置と、
前記電源供給装置とＤＥＣＴの通信方式を用いて無線接続し、固定電話網に接続されて他固定電話機と接続し、かつ前記ＤＥＣＴの通信方式を用いてコードレス子機と接続する親機と、を備えた宅内監視システムにおける監視方法であって、
前記電源供給装置は、前記電源供給装置の動作時間情報を保持し、前記動作時間情報を基に、前記電源供給装置の動作を切り替え、
前記親機は、前記親機と無線ルータを介して接続するとともに携帯電話網を介して他携帯電話機と接続する携帯電話端末が前記無線ルータの無線通信圏内に移動した場合に前記電源供給装置を動作させるための第１切替信号を、前記ＤＥＣＴの通信方式を用いて前記電源供給装置に送信し、
前記電源供給装置は、前記動作時間情報より前記親機から送信された前記第１切替信号を優先して前記電気機器への電源を供給する、
宅内監視システムにおける監視方法。
【発明の詳細な説明】
【技術分野】
【０００１】
本発明は、住宅内の状況を監視する宅内監視システム及び監視システムにおける監視方法に関する。
【背景技術】
【０００２】
従来、住宅内を監視するための監視システムの一例として、遠隔地からも容易に遠隔監視し、映像及び音声の双方向通信によって監視対象を監視する監視カメラシステムが知られている（例えば特許文献１参照）。
【０００３】
特許文献１に示す監視システムは、所定の住宅敷地内（構内）の宅内分電盤に設置された監視サーバであるコントローラと、玄関門扉に設置されたインターフォン子機である第１カメラユニットと、ダイニングルームに設置された第２カメラユニットと、ベッドルームに設置された第３カメラユニットと、リビングルームに設置されたインターフォン親機である室内ユニットと、１つ以上の遠隔地にある携帯電話機とを含む構成である。例えば住人の外出時には、コントローラは、各カメラユニットが侵入者を検出する度に、侵入者を捕捉するように撮像及び収音した映像信号及び音声信号を切り替えて携帯電話機に転送する。
【先行技術文献】
【特許文献】
【０００４】
【特許文献１】特開２００７−３２３５３３号公報
【発明の概要】
【発明が解決しようとする課題】
【０００５】
しかし、上述した特許文献１の構成では、侵入者の動き及び音を捕捉するように各カメラユニットからの映像信号及び音声信号を適宜切り替えて携帯電話機に転送するので、コントローラの構成が複雑となり、費用のコストアップが避けられず、コントローラを含む監視システムの導入を安価に行うことが困難であった。また、特許文献１の構成では、携帯電話機に対する特別な操作が無くても宅内に配設された電気機器のＯＮ／ＯＦＦを制御することは考慮されていないので、ユーザの利便性に欠けるという課題もある。
【０００６】
本発明は、従来の問題を解決するために、固定電話網に接続されて他の固定電話機と接続する既存の固定電話機の通信圏内に携帯電話端末があるか否かに応じて、宅内の電気機器のＯＮ／ＯＦＦを簡易且つ安価に切り替え、ユーザの利便性を向上する宅内監視システム及び宅内監視システムにおける監視方法を提供することを目的とする。
【課題を解決するための手段】
【０００７】
本発明は、宅内に配設された電気機器にプラグ端子を介して接続され、前記電気機器への電源を供給する電源供給装置と、前記電源供給装置とＤＥＣＴの通信方式を用いて無線接続し、固定電話網に接続されて他固定電話機と接続し、かつ前記ＤＥＣＴの通信方式を用いてコードレス子機と接続する親機と、を備え、前記電源供給装置は、前記電源供給装置の動作時間情報を保持し、前記動作時間情報を基に、前記電源供給装置の動作を切り替え、前記親機は、前記親機と無線ルータを介して接続するとともに携帯電話網を介して他携帯電話機と接続する携帯電話端末が前記無線ルータの無線通信圏内に移動した場合に前記電源供給装置を動作させるための第１切替信号を、前記ＤＥＣＴの通信方式を用いて前記電源供給装置に送信し、前記電源供給装置は、前記動作時間情報より前記親機から送信された前記第１切替信号を優先して前記電気機器への電源を供給する、宅内監視システムである。また、本発明は、宅内に配設された電気機器にプラグ端子を介して接続され、前記電気機器への電源を供給する電源供給装置と、前記電源供給装置とＤＥＣＴの通信方式を用いて無線接続し、固定電話網に接続されて他固定電話機と接続し、かつ前記ＤＥＣＴの通信方式を用いてコードレス子機と接続する親機と、を備えた宅内監視システムにおける監視方法であって、前記電源供給装置は、前記電源供給装置の動作時間情報を保持し、前記動作時間情報を基に、前記電源供給装置の動作を切り替え、前記親機は、前記親機と無線ルータを介して接続するとともに携帯電話網を介して他携帯電話機と接続する携帯電話端末が前記無線ルータの無線通信圏内に移動した場合に前記電源供給装置を動作させるための第１切替信号を、前記ＤＥＣＴの通信方式を用いて前記電源供給装置に送信し、前記電源供給装置は、前記動作時間情報より前記親機から送信された前記第１切替信号を優先して前記電気機器への電源を供給する、宅内監視システムにおける監視方法である。
【発明の効果】
【０００８】
本発明によれば、固定電話網に接続されて他の固定電話機と通話可能な既存の固定電話機の通信圏内に携帯電話端末があるか否かに応じて、宅内の電気機器のＯＮ／ＯＦＦを簡易且つ安価に切り替えできるので、ユーザの利便性を向上することができる。
【図面の簡単な説明】
【０００９】
【図１】本実施形態の宅内監視システムのシステム構成の一例を示す図
【図２】親機の内部構成の一例を示すブロック図
【図３】コードレス子機の内部構成の一例を示すブロック図
【図４】カメラの内部構成の一例を示すブロック図
【図５】センサの内部構成の一例を示すブロック図
【図６】スマートフォンの内部構成の一例を示すブロック図
【図７】スマートプラグの内部構成の一例を示すブロック図
【図８】本実施形態の宅内監視システムにおけるスマートプラグのＯＮ／ＯＦＦを制御する動作手順の一例を説明するフローチャート
【図９】本実施形態の宅内監視システムにおいてスマートプラグのＯＮ／ＯＦＦのスケジュールの設定画面がスマートフォンに表示された様子の一例を示す図
【発明を実施するための形態】
【００１０】
以下、本発明に係る宅内監視システムを具体的に開示した実施形態（以下、「本実施形態」という）について、図面を参照しながら説明する。以下の本実施形態では、本発明に係る宅内監視システムの一例として、住宅のセキュリティ又は住宅の住人（以下、単に「ユーザ」という）の生活や住宅監視の利便性を向上するために用いられる宅内監視システムを例示して説明する。なお、本発明は、宅内監視システムに限定されず、宅内監視システムを構成する各装置又は各装置における方法、プログラムとして表現することも可能である。
【００１１】
本実施形態の宅内監視システムは、固定電話網に接続されて他固定電話機と通話可能な親機と、親機との間で無線ルータを用いて無線通信可能であり、携帯電話網を介して他携帯電話機と接続する携帯電話端末と、宅内に配設された電気機器に接続され、電気機器への電源を供給する電源供給装置と、を備え、親機は、携帯電話端末が親機の無線通信圏内に位置する場合に電源供給装置の動作モードに設定し、携帯電話端末が親機の無線通信圏内に位置しない場合に電源供給装置の動作停止モードに設定し、電源供給装置は、親機により動作モードに設定された場合に電気機器への電源を供給し、親機により動作停止モードに設定された場合に電気機器への電源を供給しない。
【００１２】
図１は、本実施形態の宅内監視システム５のシステム構成の一例を示す図である。宅内監視システム５は、主に宅内８に設置されており、親機１０と、２台のコードレス子機（以下、単に「子機」ともいう）２０Ａ，２０Ｂと、複数台のカメラ（屋内カメラ３０Ａ，監視カメラ３０Ｂ，…）と、各種センサ（具体的には、人感センサ４０Ａ，４０Ｂ，煙センサ４０Ｃ，開閉センサ４０Ｄ，…）と、スマートフォン５０と、無線ルータ６０と、複数台のスマートプラグ（スマートプラグ８０，…）とを含む構成である。図１では図示が省略されているが、個々のスマートプラグ８０には、宅内に配設された電気機器（例えばエアーコンディショナ、照明器具等）が電気的に接続されている。なお、この宅内監視システム５の構成は一例であり、種々の態様に変更可能である。
【００１３】
宅内監視システム５におけるゲートウェアとしての機能を有する親機１０は、宅内監視システム５の全体の動作を制御する制御装置であり、例えばＤＥＣＴ（Digital Enhanced Cordless Telecommunications）の通信方式を用いて、子機、カメラ、センサ、スマートプラグ等と通信可能に接続される。また、親機１０は、無線ＬＡＮを用いた無線ルータ６０を介してインターネット６５に接続される。また、親機１０は、有線で固定電話網８５に接続され、固定電話機８００と通話可能である。また、親機１０は、差込口１０ａに挿入された子機２０Ａを充電する機能を有する。
【００１４】
子機２０Ａ，２０Ｂは、ＤＥＣＴの通信方式を用いて親機１０と接続され、親機１０と通話可能である。以下、特に２台の子機２０Ａ，２０Ｂを区別する必要が無い場合には、子機２０と総称する。
【００１５】
各種センサ４０（具体的には、人感センサ４０Ａ，４０Ｂ，煙センサ４０Ｃ，開閉センサ４０Ｄ，…）は、ＤＥＣＴの通信方式を用いて親機１０と接続される。ここでは、センサとして、窓の開閉を検出する開閉センサ４０Ｄ、煙を感知する煙センサ４０Ｃ、及び赤外線によって人を感知する人感センサ４０Ａ，４０Ｂが用いられる。以下、特にこれらのセンサの種類を区別する必要が無い場合には、センサ４０と総称する。また、後述するように、カメラ３０に内蔵された赤外線センサ３１３（図４参照）も、人感センサとして用いられる。
【００１６】
複数台のカメラ（例えば屋内カメラ３０Ａ，監視カメラ３０Ｂ，…）は、通話機能を有し、ＤＥＣＴの無線通信方式を用いて親機１０と接続される。ここでは、カメラとして、屋外を撮像する監視カメラ３０Ｂ、及び宅内８を撮像する屋内カメラ３０Ａが用いられる。以下、特にカメラの種類を区別する必要が無い場合、カメラ３０と総称する。
【００１７】
スマートフォン５０は、無線ＬＡＮを用いた無線ルータ６０を介して親機１０と接続され、また、３Ｇ（第３世代）、ＨＳＰＡ（High Speed Packet Access）若しくはＬＴＥ（Long Term Evolution）等の通信方式を用いた携帯電話網７５を介して携帯電話機７０や他のスマートフォン等と接続される。
【００１８】
スマートプラグ８０は、ＤＥＣＴを用いた無線通信機能を有し、ＤＥＣＴの無線通信方式を用いて親機１０と接続される。スマートプラグ８０は、宅内８に配設された電気機器（例えばエアーコンディショナ、照明器具、カメラ３０、センサ４０）に電気的に接続され、動作モードである間では個々のスマートプラグ８０に接続された電気機器に対して電源を供給し、動作停止モードである間では個々のスマートプラグ８０に接続された電気機器に対して電源を供給しない。
【００１９】
図２は、親機１０の内部構成の一例を示すブロック図である。親機１０は、制御部１０９と、記憶部１０３と、操作部１０５と、表示部１０６とを含む構成である。親機１０は、各種の入力操作を受け付け、表示部１０６に画像等の情報を表示する。制御部１０９は、呼制御部１１０及び音声ストリーム処理部１１２を内蔵し、通話の呼制御や音声データの処理等を行う。
【００２０】
また、親機１０は、画像メモリ制御部１１５と、画像メモリ１１６とを有し、カメラ３０で撮像された画像データ等を画像メモリ１１６に記憶する。
【００２１】
また、親機１０は、無線ＬＡＮ制御部１２１と、無線ＬＡＮ通信Ｉ／Ｆ部１２２とを有し、無線ＬＡＮで接続された無線ルータ６０を介してスマートフォン５０、カメラ３０等と画像データ及び音声データを送受信する。
【００２２】
また、親機１０は、ＤＥＣＴプロトコル制御部１０８と、ＤＥＣＴ無線Ｉ／Ｆ部１０７とを有し、ＤＥＣＴの無線方式を用いて、子機２０、センサ４０及びカメラ３０と無線接続を行う。
【００２３】
また、親機１０は、音声バス１１７と、音声入出力制御部１０４と、スピーカ１２９と、マイク１２８とを有し、外部に対して音声の入出力を行う。
【００２４】
また、親機１０は、固定電話回線Ｉ／Ｆ部１０１を有し、固定電話網８５に接続された外部の固定電話機８００（図１参照）と通話可能である。
【００２５】
また、親機１０は、子機／携帯端末充電部１２６を有し、差込口１０ａに挿入された子機２０若しくはスマートフォン５０を充電する。
【００２６】
また、親機１０は、留守番電話制御部１２５を有し、例えばマイク１２８に入力された音声信号を入力して所定の音声信号処理を施し、留守番電話メッセージを記憶し、留守番電話メッセージの録音及び再生を制御する。
【００２７】
また、親機１０は、ＵＳＢ通信Ｉ／Ｆ部１２７を有し、ＵＳＢ（Universal Serial Bus）規格のインタフェースを有する機器やメモリ等とデータを送受信する。
【００２８】
また、親機１０は、各種センサ４０と複数のカメラ３０とのペアをそれぞれ関連付けて記憶部１０３に登録する。例えば、人感センサ４０Ｂと監視カメラ３０Ｂとは、屋外の近接した場所に設置されているので、関連付けて登録される。また、監視カメラ３０Ｂは、後述するように、人感センサである赤外線センサ３１３（図４参照）を一体として内蔵するので、この赤外線センサ３１３とも関連付けて登録される。また、人感センサ４０Ａと、煙センサ４０Ｃと、開閉センサ４０Ｄとは、いずれも宅内８に設置されているので、宅内に配設された複数の屋内カメラ３０Ａのいずれかとそれぞれ関連付けて登録される。
【００２９】
図３は、（コードレス）子機２０の内部構成の一例を示すブロック図である。子機２０は、制御部２４７と、記憶部２４２と、操作部２４４と、表示部２４５とを含む構成である。子機２０は、各種の入力操作を受け付け、表示部２４５に画像等の情報を表示する。
【００３０】
また、子機２０は、ＤＥＣＴプロトコル制御部２４９と、ＤＥＣＴ無線Ｉ／Ｆ部２４８とを有し、ＤＥＣＴの無線方式を用いて親機１０、センサ４０及びカメラ３０と無線接続を行う。
【００３１】
また、子機２０は、音声バス２５５と、音声入出力制御部２４３と、スピーカ２５２と、マイク２５１とを有し、外部に対して音声の入出力を行う。
【００３２】
また、子機２０は、２次電池２５０を有し、コードレス子機として使用する場合には、２次電池２５０から供給された電力を子機２０の各部において供給して動作する。
【００３３】
図４は、カメラ３０の内部構成の一例を示すブロック図である。カメラ３０の一例としての屋内カメラ３０Ａ及び監視カメラ３０Ｂは、いずれもほぼ同じ構成を有する。カメラ３０は、制御部３０９と、記憶部３０３と、操作部３０５とを含む構成である。カメラ３０は、撮像に関する動作を行うとともに、入力操作を受け付ける。なお、本実施形態ではカメラ３０は、屋内カメラ３０Ａや監視カメラ３０Ｂの他に、例えば宅内８のベビーベッド又はその周囲を監視するために配設されたベビーモニタカメラ（不図示）でもよい。
【００３４】
また、カメラ３０は、ＤＥＣＴプロトコル制御部３１７と、ＤＥＣＴ無線Ｉ／Ｆ部３１８とを有し、ＤＥＣＴの無線方式を用いて親機１０と無線接続を行う。
【００３５】
また、カメラ３０は、無線ＬＡＮ制御部３２１と、無線ＬＡＮ通信Ｉ／Ｆ部３２２とを有し、無線ＬＡＮで接続された無線ルータ６０を介して、親機１０若しくはスマートフォン５０等との間で画像データ及び音声データを送受信する。
【００３６】
また、カメラ３０は、音声バス３０７と、音声入出力制御部３０４と、スピーカ３２９と、マイク３２８とを有し、外部に対して音声の入出力を行う。例えば、カメラ３０は、マイク３２８において収音した音声データを親機１０に送信し、親機１０から転送された選択音声データ（後述参照）を含む音声データをスピーカ３２９から出力する。
【００３７】
また、カメラ３０は、撮像部３１２と、画像メモリ制御部３１６と、画像メモリ３１５とを有し、撮像部３１２で撮像された画像データを画像メモリ３１５に記憶する。撮像部３１２は、周知の撮像機構を有し、例えばレンズ及び撮像素子（ＣＣＤ（Charge Coupled Device）若しくはＣＭＯＳ（Complementary Metal Oxide Semiconductor）等のイメージセンサ）を少なくとも有する。
【００３８】
また、カメラ３０は、人感センサとして、ＰＩＲ（Passive Infra Red）センサである赤外線センサ３１３を一体に内蔵する。赤外線センサ３１３は、人が発する熱（赤外線）の変化を検出して人の存在を感知する。カメラ３０は、商用交流を電源とする電源部３１４を有する。但し、カメラ３０が上述したベビーモニタカメラである場合には、赤外線センサ３１３は設けられない。
【００３９】
図５は、センサ４０の内部構成の一例を示すブロック図である。センサ４０は、制御部４４７と、記憶部４４２と、表示ランプ４４５とを含む構成である。センサ４０は、対象（例えば侵入者。以下同様。）を検出した場合に、表示ランプ４４５を点灯する等、所定の検出動作を行う。
【００４０】
また、センサ４０は、ＤＥＣＴプロトコル制御部４４９と、ＤＥＣＴ無線Ｉ／Ｆ部４４８とを有し、ＤＥＣＴの無線方式を用いて親機１０と無線接続を行い、対象を検出すると、センサ検出情報を親機１０に送信する。
【００４１】
センサ部４５３は、センサ４０の種類によって異なる。例えば、人感センサ４０Ａ，４０Ｂの場合、センサ部４５３は、赤外線の変化によって人を感知するＰＩＲセンサである。玄関若しくは窓等の開閉を検出する開閉センサ４０Ｄの場合、センサ部４５３は、開閉によってＯＮ／ＯＦＦに切り替わるリードスイッチである。煙センサ４０Ｃの場合、センサ部４５３は、発光した光が煙によって遮光されることで煙を感知する発光・受光部である。充電池４５０は、充電可能な電池であり、各部に電力を供給する。また、センサ部４５３は、周囲の温度を検出可能な温度センサでもよい。
【００４２】
図６は、スマートフォン５０の内部構成の一例を示すブロック図である。携帯電話端末としてのスマートフォン５０は、制御部５０６と、記憶部５０４と、表示／操作部（例えばタッチパネル）５０３とを含む構成である。スマートフォン５０は、各種の入力操作を受け付け、表示／操作部５０３に画像や後述するスケジュール設定画面（図９参照）等の情報を表示する。制御部５０６は、後述するように、カメラ３０の機能を設定可能な監視機能制御部５１４を内蔵する。タッチパネルにより構成される表示／操作部５０３は、表示部及び操作部が一体化された表示入力部であり、画面に画像やアイコン等の情報を表示するとともに、スマートフォン５０を所持するユーザによる画面へのタップ操作（又はタッチ操作）を受け付ける。
【００４３】
また、スマートフォン５０は、３Ｇプロトコル制御部５０２と、３Ｇ無線Ｉ／Ｆ部５０１とを有し、３Ｇ（第３世代）の無線通信方式を用いて、携帯電話網７５に接続された携帯電話機７０や他のスマートフォンと無線接続を行う。なお、スマートフォン５０は、３Ｇ以外の無線通信方式（例えばＨＳＰＡやＬＴＥ）に対応したプロトコル制御部及び無線Ｉ／Ｆ部を有してもよい。
【００４４】
また、スマートフォン５０は、音声バス５１５と、音声入出力制御部５０５と、スピーカ５１３と、マイク５１２とを有し、外部に対して音声の入出力を行う。例えば、スマートフォン５０は、マイク５１２において収音したユーザの音声データを親機１０に送信し、カメラ３０が収音した通話相手の音声データの転送を親機１０から受け、親機１０から転送された音声データをスピーカ３２９から出力する。
【００４５】
また、スマートフォン５０は、無線ＬＡＮ制御部５０７と、無線ＬＡＮ通信Ｉ／Ｆ部５０８とを有し、無線ＬＡＮで接続された無線ルータ６０を介して、親機１０若しくはカメラ３０等と画像データ及び音声データを送受信する。
【００４６】
また、スマートフォン５０は、ＵＳＢ通信Ｉ／Ｆ部５１１を有し、ＵＳＢ（Universal Serial Bus）規格のインタフェースを有する機器やメモリ等とデータを送受信する。
【００４７】
図７は、スマートプラグの内部構成の一例を示すブロック図である。スマートプラグ８０は、制御部８４７、記憶部８４２、及び表示ランプを備えた表示部８４５を有する。記憶部８４２には、スマートプラグ８０が親機１０との間でＤＥＣＴを用いた無線通信を行うことで設定又は変更が可能なＯＮ／ＯＦＦ条件に関するスケジュール設定情報が登録される。
【００４８】
また、スマートプラグ８０は、ＤＥＣＴプロトコル制御部８４９、及びＤＥＣＴ無線Ｉ／Ｆ部８４８を有し、ＤＥＣＴの無線通信方式を用いて親機１０と無線通信による接続を行い、この無線通信による接続を介して送信される信号（後述する親機１０からの切替信号）に従って、個々のスマートプラグ８０に接続される各電気機器（例えばエアーコンディショナ、照明器具、カメラ３０、センサ４０）へ商用交流電源の供給又は遮断を切り替える。
【００４９】
また、スマートプラグ８０は、スイッチ部８５０を有する。スイッチ部８５０は、例えば宅内８の配電盤（不図示）から接続された宅内８の各種の位置（例えばダイニングルーム、リビングルーム、ベッドルーム等の位置）に表出されたコンセント端子（不図示）に接続されるプラグ端子８５１と電気機器に接続されるコンセント端子８５２との間で、電源としての電力の供給線の接続又は遮断を行う。スイッチ部８５０は、例えばソレノイドコイル８５３によって駆動され、ソレノイドコイル８５３に交流電源からの駆動電流を流すことによってスイッチ部８５０を閉結し、プラグ端子８５１とコンセント端子８５２との間を導通させる。また、スイッチ部８５４は、制御部８４７の制御によってソレノイドコイル８５３に流す駆動電流をＯＮ／ＯＦＦさせる。
【００５０】
プラグ端子８５１とスイッチ部８５０との間には電流検出素子８５５が設けられ、プラグ端子８５１とコンセント端子８５２の間で電流が流れると、電流検出素子８５５が検知し、検知信号を制御部８４７へ送る。制御部８４７は、例えば操作部８４１からの入力操作があると、電流検出素子８５５からの検知信号を受けた場合に電気機器への電力を供給している量（電力供給量）を表示部８４５に表示する。
【００５１】
制御部８４７は、親機１０からスマートプラグ８０の動作モードの指示信号がＤＥＣＴ無線Ｉ／Ｆ部８４８において受信された場合には、プラグ端子８５１とコンセント端子８５２との間を導通させるための切替信号をスイッチ部８５４に出力する。これにより、プラグ端子８５１とコンセント端子８５２との間が導通する。一方、制御部８４７は、親機１０からスマートプラグ８０の動作停止モードの指示信号がＤＥＣＴ無線Ｉ／Ｆ部８４８において受信された場合には、プラグ端子８５１とコンセント端子８５２との間を非導通させるための切替信号をスイッチ部８５４に出力する。これにより、プラグ端子８５１とコンセント端子８５２との間が非導通となる。
【００５２】
また、制御部８４７は、記憶部８４２に記憶されているスケジュール設定情報を参照し、スケジュール設定情報に含まれる動作モードの時間（例えば図９参照）になると、プラグ端子８５１とコンセント端子８５２との間を導通させるための切替信号をスイッチ部８５４に出力する。これにより、プラグ端子８５１とコンセント端子８５２との間が導通する。なお、動作モードの時間中では、親機１０から送信された動作停止モードの指示信号がＤＥＣＴ無線Ｉ／Ｆ部８４８において受信されない限り、プラグ端子８５１とコンセント端子８５２との間の導通状態は維持される。
【００５３】
一方、制御部８４７は、記憶部８４２に記憶されているスケジュール設定情報を参照し、スケジュール設定情報に含まれる動作停止モードの時間（例えば図９参照）になると、プラグ端子８５１とコンセント端子８５２との間を非導通させるための切替信号をスイッチ部８５４に出力する。これにより、プラグ端子８５１とコンセント端子８５２との間が非導通となる。なお、動作停止モードの時間中では、親機１０から送信された動作モードの指示信号がＤＥＣＴ無線Ｉ／Ｆ部８４８において受信されない限り、プラグ端子８５１とコンセント端子８５２との間の非導通状態は維持される。
【００５４】
次に、本実施形態の宅内監視システム５におけるスマートプラグ８０のＯＮ／ＯＦＦの制御に関する動作手順について、図８を参照して説明する。図８は、本実施形態の宅内監視システム５におけるスマートプラグ８０のＯＮ／ＯＦＦを制御する動作手順の一例を説明するフローチャートである。
【００５５】
図８において、親機１０は、スマートプラグ８０との間ではＤＥＣＴの無線通信を確立しており、スマートプラグ８０との間で所定の信号の送受信を経て、現在のスマートプラグ８０のＯＮ（動作モード）／ＯＦＦ（動作停止モード）の設定状態を判断する（Ｓ１１）。
【００５６】
スマートプラグ８０が動作モードである場合には（Ｓ１１、ＯＮ）、親機１０は、スマートフォン５０が親機１０の無線通信圏内にいると判断する。スマートフォン５０が親機１０の無線通信圏内にいる場合とは、例えばユーザが宅内８にいる場合（在宅中）が該当するように、スマートフォン５０が親機１０の無線通信圏内（つまり、無線ルータ６０の通信圏内）に存在する場合を示す。ここで、スマートフォン５０が親機１０の無線通信圏内から外れた位置に移動した場合には（Ｓ１２、ＹＥＳ）、親機１０は、スマートフォン５０が親機１０の無線通信圏外に移動したこと（例えばユーザが宅内８から外出して住宅から所定距離以上離れたこと）を認知し、スマートプラグ８０に対し、動作停止モード（ＯＦＦ）に移行する旨の切替信号を送信する（Ｓ１３）。
【００５７】
これにより、スマートプラグ８０は、親機１０からの切替信号に応じて、スマートプラグ８０のスイッチ部８５０を非導通状態に切り替え、プラグ端子８５１とコンセント端子８５２との間を非導通させる。言い換えると、スマートプラグ８０は、スマートプラグ８０のコンセント端子８５２側に接続された電気機器（例えばエアーコンディショナ、照明器具、カメラ３０、センサ４０）への電源の供給を停止する（Ｓ１４、電源ＯＦＦ）。
【００５８】
一方、スマートフォン５０が親機１０の無線通信圏内から外れた位置に移動しない場合には（Ｓ１２、ＮＯ）、親機１０は、スマートプラグ８０に対し、動作モード（ＯＮ）を継続する旨の信号を送信する。この場合には、宅内監視システム５の動作は、ステップＳ１１に戻る。
【００５９】
また、スマートプラグ８０が動作停止モードである場合には（Ｓ１１、ＯＦＦ）、親機１０は、スマートフォン５０が親機１０の無線通信圏外にいると判断する。スマートフォン５０が親機１０の無線通信圏外にいる場合とは、例えばユーザが宅内８から所定距離以上離れた位置に居る場合（外出中）が該当するように、スマートフォン５０が親機１０の無線通信圏外（つまり、無線ルータ６０の通信圏外）に存在する場合を示す。ここで、スマートフォン５０が親機１０の無線通信圏外から無線通信圏内の位置に移動した場合には（Ｓ１５、ＹＥＳ）、親機１０は、スマートフォン５０が親機１０の無線通信圏内に移動したこと（例えばユーザが宅内８から外出先から宅内８に帰宅したこと）を認知し、スマートプラグ８０に対し、動作モード（ＯＮ）に移行する旨の切替信号を送信する（Ｓ１６）。
【００６０】
これにより、スマートプラグ８０は、親機１０からの切替信号に応じて、スマートプラグ８０のスイッチ部８５０を導通状態に切り替え、プラグ端子８５１とコンセント端子８５２との間を導通させる。言い換えると、スマートプラグ８０は、スマートプラグ８０のコンセント端子８５２側に接続された電気機器（例えばエアーコンディショナ、照明器具、カメラ３０、センサ４０）への電源の供給を開始する（Ｓ１７、電源ＯＮ）。
【００６１】
一方、スマートフォン５０が親機１０の無線通信圏外から無線通信圏内の位置に移動しない場合には（Ｓ１５、ＮＯ）、親機１０は、スマートプラグ８０に対し、動作停止モード（ＯＦＦ）を継続する旨の信号を送信する。この場合には、宅内監視システム５の動作は、ステップＳ１１に戻る。
【００６２】
なお、図８においてステップＳ１３，Ｓ１４では、スマートフォン５０が親機１０の無線通信圏内から無線通信圏外に移動した場合には、スマートプラグ８０が動作停止モードに移行するように親機１０により制御されるが、反対に、スマートプラグ８０が動作モードに移行するように親機１０により制御されてもよい。
【００６３】
同様に、図８においてステップＳ１６，Ｓ１７では、スマートフォン５０が親機１０の無線通信圏外から無線通信圏内に移動した場合には、スマートプラグ８０が動作モードに移行するように親機１０により制御されるが、反対に、スマートプラグ８０が動作停止モードに移行するように親機１０により制御されてもよい。
【００６４】
なお、スマートプラグ８０に動作モード（ＯＮ）や動作停止モード（ＯＦＦ）の時間が規定されたスケジュール設定情報が予め設定されている場合がある（図９参照）。図９は、本実施形態の宅内監視システム５においてスマートプラグ８０のＯＮ／ＯＦＦのスケジュールの設定画面がスマートフォン５０に表示された様子の一例を示す図である。
【００６５】
例えば、月曜日から金曜日の平日では、スマートプラグ８０は、午前０時から午前６時、及び午後１０時（２２時）から午前０時（２４時）までは動作モードが規定され、午前６時から午後１０時（２２時）までは動作停止モードが規定されている。
【００６６】
また、土曜日では、スマートプラグ８０は、午前０時から午前８時、及び午後２時（１４時）から午前０時（２４時）までは動作モードが規定され、午前８時から午後２時（１４時）までは動作停止モードが規定されている。更に、日曜日では、スマートプラグ８０は、終日動作停止モードが規定されている。
【００６７】
この場合、親機１０は、図９に示すスケジュール設定画面に示されたスケジュール設定情報と現在時刻とを比較し、例えばスマートプラグ８０を動作モードに切り替えると判断し、かつ、動作モードに切り替えるタイミングがスマートプラグ８０自体の動作モードの時間内である場合に、スマートプラグ８０を動作モードに切り替えるための切替信号をスマートプラグ８０に送信してもよい。また、現在時刻がスマートプラグ８０の動作停止モードの時間であった場合でも、スマートプラグ８０は、親機１０から送信された切替信号を優先して動作モードに切り替えてもよい。即ち、スマートプラグ８０は、自身のスケジュール設定情報よりも親機１０からの切替信号を優先してもよい。
【００６８】
同様に、親機１０は、図９に示すスケジュール設定画面に示されたスケジュール設定情報と現在時刻とを比較し、例えばスマートプラグ８０を動作停止モードに切り替えると判断し、かつ、動作停止モードに切り替えるタイミングがスマートプラグ８０自体の動作停止モードの時間内である場合に、スマートプラグ８０を動作停止モードに切り替えるための切替信号をスマートプラグ８０に送信してもよい。また、現在時刻がスマートプラグ８０の動作モードの時間であった場合でも、スマートプラグ８０は、親機１０から送信された切替信号を優先して動作停止モードに切り替えてもよい。即ち、スマートプラグ８０は、自身のスケジュール設定情報よりも親機１０からの切替信号を優先してもよい。
【００６９】
なお、図９に示すスケジュール設定画面に示されたスケジュール設定情報は、ユーザのスマートフォン５０の表示／操作部５０３に対する所定の入力操作により、適宜変更可能である。変更のための入力操作の途中で操作誤りがあった場合には、例えばアイコンＩＣ１を１度タップすれば、１つ前の操作の入力状態に戻る。またスケジュール設定情報の変更操作が終了した場合には、例えばアイコンＩＣ２を１度タップすれば、所定のホーム画面（不図示）に戻る。
【００７０】
以上により、本実施形態の宅内監視システム５では、親機１０は、スマートフォン５０が親機１０の無線通信圏内に位置する場合（言い換えると、ユーザの住宅内が親機１０の無線通信圏内に含まれる場合において、ユーザが住宅内にいる場合又はユーザが住宅内に近い位置にいる場合）にはスマートプラグ８０の動作モードに設定する。一方、親機１０は、スマートフォン５０が親機１０の無線通信圏内に位置しない場合（言い換えると、ユーザの住宅内が親機１０の無線通信圏内に含まれる場合において、ユーザが住宅内にいない場合）にはスマートプラグ８０の動作停止モードに設定する。スマートプラグ８０は、親機１０により動作モードに設定された場合にはスマートプラグ８０自身に接続された電気機器（例えばエアーコンディショナ、照明器具）への電源を供給し、親機１０により動作停止モードに設定された場合には電気機器への電源を供給しない。
【００７１】
これにより、宅内監視システム５は、固定電話網８５に接続されて他の固定電話機８００と通話可能な既存の固定電話機である親機１０の無線通信圏内にスマートフォン５０があるか否かに応じて、住宅内のスマートプラグ８０に接続された電気機器への電源のＯＮ／ＯＦＦを簡易且つ安価に切り替えできるので、スマートフォン５０に対する特別の入力操作を行わせることなく、ユーザの利便性を向上できる。例えば、ユーザ（居住者）が携行するスマートフォン５０が親機１０の無線通信圏内（無線通信可能領域）に移動したときに、スマートプラグ８０がＯＮ（ターンオン）されるので、帰宅時に居住者がわざわざ電灯等のスイッチをオンさせることがない、使い勝手の良いシステムを提供できる。特に侵入者等が居住区に存在する場合に、いきなり電灯等がオンするので侵入者等を警戒させることができ、家のセキュリティに貢献することができる。
【００７２】
また、本実施形態の宅内監視システム５では、スマートフォン５０は、表示／操作部５０３に対するユーザの所定の操作（第１操作）に応じて、スマートプラグ８０の動作モード及び動作停止モードのスケジュール設定確認を親機１０に要求する。親機１０は、スマートプラグ８０の動作モード及び動作停止モードに関する情報を記憶部１０３において記憶し、スマートフォン５０からのスケジュール設定確認の要求に応じて、スマートプラグ８０の動作モード及び動作停止モードに関する情報を用いてスケジュール設定画面を生成してスマートフォン５０に転送する。スマートフォン５０は、親機１０から転送されたスケジュール設定画面を表示／操作部５０３に表示する。
【００７３】
これにより、宅内監視システム５は、ユーザの簡単な入力操作により、現在のスマートプラグ８０の動作モード及び動作停止モードのスケジュール設定画面をスマートフォン５０の表示／操作部５０３上でユーザに対して容易に閲覧確認させることができるので、ユーザの住宅内の監視に対する利便性を向上できる。
【００７４】
また、本実施形態の宅内監視システム５では、スマートフォン５０は、表示／操作部５０３に表示されたスケジュール設定画面に対するスマートプラグ８０の動作モード又は動作停止モードの時間変更操作に応じて、変更後のスマートプラグ８０の動作モード又は動作停止モードの時間に関する情報を親機１０に送信する。親機１０は、スマートフォン５０から送信された変更後のスマートプラグ８０の動作モード又は動作停止モードの時間に関する情報に応じて、記憶部１０３に記憶されたスマートプラグ８０の動作モード及び動作停止モードに関する情報を更新する。
【００７５】
これにより、宅内監視システム５は、ユーザの簡単な入力操作により、スマートプラグ８０の動作モード及び動作停止モードのスケジュールを容易に変更できるので、ユーザの嗜好に合わせて、スマートプラグ８０に接続された電気機器のＯＮ／ＯＦＦの時間を任意に設定でき、ユーザの住宅内の生活に関する利便性を向上できる。
【００７６】
以上、図面を参照しながら各種の実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【産業上の利用可能性】
【００７７】
本発明は、携帯電話端末がカメラから転送された画像データを表示し、固定電話網に接続されて他の固定電話機と接続する既存の固定電話機を用いて、携帯電話端末とカメラとのデータの入出力を、ユーザの利便性を損なうことなく安価に実現する宅内監視システム及び宅内監視システムにおける監視方法として有用である。
【符号の説明】
【００７８】
５  宅内監視システム
８  宅内
１０  親機
１０ａ  差込口
２０、２０Ａ、２０Ｂ  （コードレス）子機
３０、３０Ａ、３０Ｂ  カメラ
４０  センサ
４０Ａ、４０Ｂ  人感センサ
４０Ｃ  煙センサ
５０  スマートフォン
６０  無線ルータ
６５  インターネット
７０  携帯電話機
７５  携帯電話網
８５  固定電話網
１０１  固定電話回線Ｉ／Ｆ部
１０３、２４２、３０３、４４２、５０４、８４２  記憶部
１０４、２４３、３０４、５０５  音声入出力制御部
１０５、２４４、３０５、８４１  操作部
１０６、２４５、８４５  表示部
１０７、２４８、４４８、８４８  ＤＥＣＴ無線Ｉ／Ｆ部
１０８、２４９、４４９、８４９  ＤＥＣＴプロトコル制御部
１０９、２４７、３０９、４４７、５０６、８４７  制御部
１１０  呼制御部
１１２  音声ストリーム処理部
１１５  画像メモリ制御部
１１６  画像メモリ
１１７、２５５、３０７、５１５  音声バス
１２１、３２１、５０７  無線ＬＡＮ制御部
１２２、３２２、５０８  無線ＬＡＮ通信Ｉ／Ｆ部
１２６  子機／携帯端末充電部
１２７  ＵＳＢ通信Ｉ／Ｆ部
１２８、２５１、３２８、５１２  マイク
１２９、２５２、３２９、５１３  スピーカ
２５０、５５０  ２次電池
３１２  撮像部
３１３  赤外線センサ
３１５  画像メモリ
３１６  画像メモリ制御部
４４５  表示ランプ
４５０  充電池
４５３  センサ部
５０１  ３Ｇ無線Ｉ／Ｆ部
５０２  ３Ｇプロトコル制御部
５０３  表示／操作部
５１１  ＵＳＢ通信Ｉ／Ｆ部
５１４  監視機能制御部
８００  固定電話機
８５１  プラグ端子
８５２  コンセント端子
８５３  ソレノイドコイル
８５０、８５４  スイッチ部
８５５  電流検出素子
【要約】
【課題】固定電話網に接続されて他の固定電話機と通話可能な既存の固定電話機の通信圏内に携帯電話端末があるか否かに応じて、宅内の電気機器のＯＮ／ＯＦＦを簡易且つ安価に切り替え、ユーザの利便性を向上する。
【解決手段】監視システムでは、固定電話網に接続されて他固定電話機と通話可能な親機は、携帯電話端末が親機の無線通信圏内に位置する場合に電源供給装置の動作モードに設定し、携帯電話端末が親機の無線通信圏内に位置しない場合に電源供給装置の動作停止モードに設定する。電源供給装置は、宅内に配設された電気機器に接続され、親機により動作モードに設定された場合に電気機器への電源を供給し、親機により動作停止モードに設定された場合に電気機器への電源を供給しない。
【選択図】図８【図１】
0005866543.tif 000002
【図２】
0005866543.tif 000003
【図３】
0005866543.tif 000004
【図４】
0005866543.tif 000005
【図５】
0005866543.tif 000006
【図６】
0005866543.tif 000007
【図７】
0005866543.tif 000008
【図８】
0005866543.tif 000009
【図９】
0005866543.tif 000010